(57)【要約】本発明は、レーザー光源（３００）、波長変換光源、合成光源及び投影システムに関する。当該レーザー光源は、レーザー素子アレイと、集光光学素子（３３）と、コリメータ光学素子（３４）と、２次レーザー光束アレイ（３８２）を受容すると共に均一化するためのインテグレータロッド（３６）とを備え、レーザー素子アレイとインテグレータロッド（３６）との間の光路上に、角度分布制御素子（３５）がさらに設置され、インテグレータロッド（３６）に入射する各２次レーザー光束の光分布の短軸方向における発散角と長軸方向における発散角との比率が０．７以上になる。【選択図】図１
2016526258.tif 000002
【特許請求の範囲】
【請求項１】
コリメートされた１次レーザー光束アレイを発生させるための、レーザー素子アレイを有するレーザー光源アレイと、
前記レーザー光源アレイの後端に順次に配列されている集光光学素子およびコリメータ光学素子と、
２次レーザー光束アレイを受容すると共に均一化するための、コリメータ光学素子の後端に位置しているインテグレータロッドとを備え、
前記１次レーザー光束アレイは、集光光学素子およびコリメータ光学素子を順次に通過した後、コリメートされた２次レーザー光束アレイを形成し、２次レーザー光束アレイにおける２次レーザー光束のピッチは、１次レーザー光束アレイにおける１次レーザー光束のピッチより小さく、
前記レーザー素子アレイと前記インテグレータロッドとの間の光路上に、前記インテグレータロッドに入射する２次レーザー光束アレイのうち、各２次レーザー光束の光分布の、短軸方向における発散角と長軸方向における発散角との比率が０．７以上になるように、前記レーザー光束アレイにおける光分布の短軸方向における発散角を大きくするための角度分布制御素子がさらに設置されていることを特徴とするレーザー光源。
【請求項２】
前記角度分布制御素子は、コリメータレンズアレイであり、各コリメータレンズは、それぞれ１つのレーザー素子に対応し、当該レーザー素子からのレーザーに対してコリメートを行い、
前記レーザー素子は、対応するコリメータレンズの光軸に位置していると共に当該コリメータレンズの焦点とずれており、当該コリメータレンズから出射される１次レーザー光束の光分布の短軸方向における発散角とその長軸方向における発散角との比率が０．７以上になるようにすることを特徴とする請求項１に記載のレーザー光源。
【請求項３】
前記角度分布制御素子は、少なくとも１つの柱面レンズであり、前記コリメータ光学素子と前記インテグレータロッドとの間に位置しており、各柱面レンズは、前記コリメータ光学素子から出射される２次レーザー光束アレイにおける少なくとも１列の２次レーザー光束に対応し、当該少なくとも１列の２次レーザー光束における各列の進行方向は、当該柱面レンズの母線に平行し、且つ各列の２次レーザー光束における各２次レーザー光束の光分布の長軸方向は、当該柱面レンズの母線に平行し、
各２次レーザー光束は、その対応する柱面レンズを通過した後、光分布の短軸方向における発散角とその長軸方向における発散角との比率が０．７以上であることを特徴とする請求項１に記載のレーザー光源。
【請求項４】
前記角度分布制御素子は、光拡散シートであり、前記コリメータ光学素子と前記インテグレータロッドとの間に位置し、当該光拡散シートによる散乱後の２次レーザー光束アレイの短軸方向における発散角と長軸方向における発散角との比率が０．７以上になるようにすることを特徴とする請求項１に記載のレーザー光源。
【請求項５】
前記角度分布制御素子は、マイクロレンズアレイであり、前記コリメータ光学素子と前記インテグレータロッドとの間に位置し、各マイクロレンズは、長方形を成しており、
当該マイクロレンズアレイに入射する２次レーザー光束アレイの光分布の短軸方向は、各マイクロレンズの長辺方向に平行し、且つ当該マイクロレンズアレイから出射される２次レーザー光束アレイの光分布の短軸方向における発散角と長軸方向における発散角との比率が０．７以上であることを特徴とする請求項１に記載のレーザー光源。
【請求項６】
前記レーザー光源アレイは、レーザー素子アレイおよびコリメータレンズアレイを備え、各コリメータレンズは、１つのレーザー素子に対応し、当該レーザー素子からのレーザーをコリメートし、且つ各レーザー素子は、その対応するコリメータレンズの光軸に位置していると共に当該コリメータレンズの焦点とずれており、
前記角度分布制御素子は、前記コリメータ光学素子と前記インテグレータロッドとの間に位置しており、入射される２次レーザー光束の光分布の短軸方向における発散角を大きくし、または、入射される２次レーザー光束の光分布の長軸方向における発散角を小さくし、前記インテグレータロッドに入射される２次レーザー光束アレイにおける各２次レーザー光束の光分布の短軸方向における発散角と長軸方向における発散角との比率が０．７以上になるようにすることを特徴とする請求項１に記載のレーザー光源。
【請求項７】
前記インテグレータロッドは、中実なものであり、且つ前記角度分布制御素子と前記インテグレータロッドは、一体成形されていることを特徴とする請求項３乃至請求項６のいずれかに記載のレーザー光源。
【請求項８】
コリメートされた１次レーザー光束アレイを発生させるためのレーザー光源アレイと、
前記レーザー光源アレイの後端に順次に配列されている集光光学素子およびコリメータ光学素子と、
２次レーザー光束アレイを受容すると共に均一化するための、コリメータ光学素子の後端に位置しているインテグレータロッドとを備え、
前記１次レーザー光束アレイは、集光光学素子およびコリメータ光学素子を順次に通過した後に、コリメートされた２次レーザー光束アレイを形成し、２次レーザー光束アレイにおける２次レーザー光束のピッチは、１次レーザー光束アレイにおける１次レーザー光束のピッチより小さく、
当該インテグレータロッドの光入口の面積は、その光出口の面積より大きく、
当該インテグレータロッドの光入口は、相互に直交する第１の辺および第２の辺を有し、光出口は、相互に直交する第１の辺および第２の辺を有し、光入口の第１の辺と光出口の第１の辺とは平行し、且つ光入口の第１の辺の長さと光出口の第１の辺の長さとの比率は、光入口の第２の辺の長さと光出口の第２の辺の長さとの比率より小さく、
前記２次レーザー光束アレイが前記インテグレータロッドに入射するとき、各２次レーザー光束の光分布の長軸方向は、当該インテグレータロッドの光入口の第１の辺に平行していることを特徴とするレーザー光源。
【請求項９】
前記インテグレータロッドの光入口の第１の辺の長さは、光出口の第１の辺の長さと等しいことを特徴とする請求項８に記載のレーザー光源。
【請求項１０】
前記インテグレータロッドの光入口は、正方形を成していることを特徴とする請求項８に記載のレーザー光源。
【請求項１１】
前記レーザー素子アレイと前記インテグレータロッドとの間の光路上に、角度分布制御素子がさらに設置され、前記角度分布制御素子は、前記レーザー光束アレイに対して整形を行い、前記インテグレータロッドに入射される２次レーザー光束アレイにおける各２次レーザー光束の光分布の短軸方向における発散角と長軸方向における発散角との比率を大きくすることを特徴とする請求項８に記載のレーザー光源。
【請求項１２】
請求項１乃至請求項１１のいずれかに記載のレーザー光源と、
前記レーザー光源からの光を受容して被励起光を発射する波長変換装置とを備えることを特徴とする波長変換光源。
【請求項１３】
請求項１乃至請求項１１のいずれかに記載のレーザー光源と、
励起光源及び当該励起光源からの励起光を吸収して被励起光を発射するための波長変換装置を備える波長変換光源と、
光合成装置とを備え、
前記レーザー光源から発射される光と前記波長変換光源から発射される被励起光は、異なる方向から光合成装置に入射して光合成装置によって一束の光に光合成され、出射することを特徴とする合成光源。
【請求項１４】
請求項１３に記載の合成光源と、
前記合成光源からの光束を受容すると共に変調を行うための空間光変調装置とを備えることを特徴とする投影システム。
【発明の詳細な説明】
【技術分野】
【０００１】
本発明は、照明及び表示技術分野に関し、特にレーザー光源、波長変換光源、合成光源及び投影システムに関する。
【背景技術】
【０００２】
半導体技術の発展に伴い、固体照明光源の優位は明らかになっている。レーザー光源は、高輝度、高精度視準の新規光源として、徐々に投影、照明などの分野に応用されていくものである。レーザー光源は、光学エタンデュ（エテンデュー）が小さいため、高輝度の光の出力を得られるが、一方で、その光に対する均一化はより難しくなる。
【０００３】
図１は、従来技術において角棒を利用して光を均一化するレーザー光源であり、そのうち、１１ａ〜１１ｃはレーザーダイオード、１２ａ〜１２ｃはコリメータレンズ、１３は集光レンズ、１４は長方形角棒である。なお、コリメータレンズ１２ａ〜１２ｃは、球面または非球面のレンズアレイであり、レンズ毎に１つのレーザーダイオードが対応している。レーザーダイオード１１ａ〜１１ｃから発せられるレーザーは、最初にコリメータレンズ１２ａ−１２ｃを経由して平行光束にコリメートされ、そして、集光レンズ１３を経由して１つの小さな光スポットに集光し、当該光スポットのサイズは、長方形角棒１４の光入口のサイズと一致する。長方形角棒１４は、中空または中実の導光棒であり、入力の光束を均一化するためのものである。しかしながら、実験によってこのような光均一化の効果はよくないことが分かった。角棒１４からの出射光は、依然として離れたレーザードットを呈し、均一な面分布に混合できない。角棒１４の長さを延長することによって角棒におけるレーザーの反射の回数を増やしても、著しく改善することはできない。
【発明の概要】
【発明が解決しようとする課題】
【０００４】
本発明が主に解決しようとする技術的課題は、出射されるレーザー光束の均一程度を向上させるためのレーザー光源を提供することである。
【課題を解決するための手段】
【０００５】
本発明の実施形態によれば、一種のレーザー光源を提供し、コリメートされた１次レーザー光束アレイを発生させるための、レーザー素子アレイを有するレーザー光源アレイと、
前記レーザー光源アレイの後端に順次に配列されている集光光学素子およびコリメータ光学素子と、
２次レーザー光束アレイを受容すると共に均一化するための、コリメータ光学素子の後端に位置しているインテグレータロッドとを備え、
前記１次レーザー光束アレイは、集光光学素子およびコリメータ光学素子を順次に通過した後、コリメートされた２次レーザー光束アレイを形成し、２次レーザー光束アレイにおける２次レーザー光束のピッチは、１次レーザー光束アレイにおける１次レーザー光束のピッチより小さく、
前記レーザー素子アレイと前記インテグレータロッドとの間の光路上に、前記インテグレータロッドに入射する２次レーザー光束アレイのうち、各２次レーザー光束の光分布の短軸方向における発散角と長軸方向における発散角との比率が０．７以上になるように、前記レーザー光束アレイの光分布の短軸方向の発散角を大きくするための角度分布制御素子がさらに設置されている。
【０００６】
好ましくは、前記角度分布制御素子は、コリメータレンズアレイであり、各コリメータレンズは、それぞれ１つのレーザー素子に対応し、当該レーザー素子からのレーザーに対してコリメートを行い、
前記レーザー素子は、対応するコリメータレンズの光軸に位置していると共に当該コリメータレンズの焦点とずれており、当該コリメータレンズから出射される１次レーザー光束の光分布の短軸方向における発散角とその長軸方向における発散角との比率が０．７以上になるようにする。
【０００７】
好ましくは、前記角度分布制御素子は、少なくとも１つの柱面レンズであり、前記コリメータ光学素子と前記インテグレータロッドとの間に位置しており、そのうち、各柱面レンズは、前記コリメータ光学素子から出射される２次レーザー光束アレイにおける少なくとも１列の２次レーザー光束に対応し、当該少なくとも１列の２次レーザー光束における各列の進行方向は、当該柱面レンズの母線に平行し、且つ各列の２次レーザー光束における各２次レーザー光束の光分布の長軸方向は、当該柱面レンズの母線に平行し、
各２次レーザー光束がその対応する柱面レンズを通過した後、光分布の短軸方向における発散角とその長軸方向における発散角との比率は、０．７以上である。
【０００８】
好ましくは、前記角度分布制御素子は、光拡散シートであり、前記コリメータ光学素子と前記インテグレータロッドとの間に位置し、当該光拡散シートによる散乱後の２次レーザー光束アレイの短軸方向における発散角と長軸方向における発散角との比率が０．７以上になるようにする。
【０００９】
好ましくは、前記角度分布制御素子は、マイクロレンズアレイであり、前記コリメータ光学素子と前記インテグレータロッドとの間に位置し、各マイクロレンズは、長方形を成しており、
当該マイクロレンズアレイに入射する２次レーザー光束アレイの光分布の短軸方向は、各マイクロレンズの長辺方向に平行し、且つ当該マイクロレンズアレイから出射される２次レーザー光束アレイの光分布の短軸方向における発散角と長軸方向における発散角との比率は、０．７以上である。
【００１０】
好ましくは、前記レーザー光源アレイは、レーザー素子アレイおよびコリメータレンズアレイを備え、そのうち、各コリメータレンズは、１つのレーザー素子に対応し、当該レーザー素子からのレーザーをコリメートし、且つ各レーザー素子は、その対応するコリメータレンズの光軸に位置していると共に当該コリメータレンズの焦点とずれており、
前記角度分布制御素子は、前記コリメータ光学素子と前記インテグレータロッドとの間に位置しており、入射される２次レーザー光束の光分布の短軸方向の発散角を大きくするために、または、入射される２次レーザー光束の光分布の長軸方向の発散角を小さくするために、前記インテグレータロッドに入射される２次レーザー光束アレイにおける各２次レーザー光束の光分布の短軸方向の発散角と長軸方向の発散角との比率が０．７以上になるようにする。
【００１１】
好ましくは、前記インテグレータロッドは、中実なものであり、且つ前記角度分布制御素子と前記インテグレータロッドとは、一体成形されている。
【００１２】
本発明の実施形態によれば、一種のレーザー光源をさらに提供し、コリメートされた１次レーザー光束アレイを発生させるためのレーザー光源アレイと、
前記レーザー光源アレイの後端に順次に配列されている集光光学素子およびコリメータ光学素子と、
２次レーザー光束アレイを受容すると共に均一化するための、コリメータ光学素子の後端に位置しているインテグレータロッドとを備え、
前記１次レーザー光束アレイは、集光光学素子およびコリメータ光学素子を順次に通過した後に、コリメートされた２次レーザー光束アレイを形成し、２次レーザー光束アレイにおける２次レーザー光束のピッチは、１次レーザー光束アレイにおける１次レーザー光束のピッチより小さく、
当該インテグレータロッドの光入口の面積は、その光出口の面積より大きく、
当該インテグレータロッドの光入口は、相互に直交する第１の辺および第２の辺を有し、光出口は、相互に直交する第１の辺および第２の辺を有し、そのうち、光入口の第１の辺と光出口の第１の辺とが平行し、且つ光入口の第１の辺の長さと光出口の第１の辺の長さとの比率が光入口の第２の辺の長さと光出口の第２の辺の長さとの比率より小さく、
前記２次レーザー光束アレイが前記インテグレータロッドに入射するとき、各２次レーザー光束の光分布の長軸方向は、当該インテグレータロッドの光入口の第１の辺に平行している。
【００１３】
好ましくは、前記インテグレータロッドの光入口の第１の辺の長さは、光出口の第１の辺の長さと等しい。
【００１４】
好ましくは、前記インテグレータロッドの光入口は、正方形を成している。
【００１５】
好ましくは、前記レーザー素子アレイと前記インテグレータロッドとの間の光路上に、角度分布制御素子がさらに設置され、前記レーザー光束アレイに対して整形を行い、前記インテグレータロッドに入射される２次レーザー光束アレイにおける各２次レーザー光束の光分布の短軸方向における発散角と長軸方向における発散角との比率を大きくする。
【００１６】
本発明の実施形態によれば、一種の波長変換光源をさらに提供し、
上記レーザー光源と、
前記レーザー光源からの光を受容して被励起光を発射する波長変換装置とを備える。
【００１７】
本発明の実施形態によれば、一種の合成光源をさらに提供し、
上記レーザー光源と、
励起光源及び当該励起光源からの励起光を吸収して被励起光を発射するための波長変換装置を備える波長変換光源と、
光合成装置とを備え、
前記レーザー光源から発射される光と前記波長変換光源から発射される被励起光は、異なる方向から光合成装置に入射して、光合成装置によって一束の光に光合成され、出射する。
【００１８】
本発明の実施形態によれば、一種の投影システムをさらに提供し、
上記合成光源と、
前記合成光源からの光束を受容すると共に変調を行うための空間光変調装置とを備える。
【００１９】
従来技術と比べ、本発明は、以下のような有益な効果を得られる。
本発明において、集光光学素子及びコリメータ光学素子に作用された後、１次レーザー光束アレイの断面が圧縮されて２次レーザー光束アレイが形成され、２次レーザー光束の発散角は、１次レーザー光束の発散角より大きいので、２次レーザー光束がその後端に位置しているインテグレータロッドを通過した後、より均一な面分布を得られる。そして、レーザー光源アレイとインテグレータロッドとの間の光路上に角度分布制御素子が設置されて、上記レーザー光束アレイの光分布の短軸方向の発散角を大きくするために、インテグレータロッドに入射される２次レーザー光束アレイにおける各２次レーザー光束の短軸方向の発散角と長軸方向の発散角との比率は、０．７以上になるようにする。２次レーザー光束アレイにおける短軸方向の光束をインテグレータロッド内に反射する回数を増加させることで、短軸方向と長軸方向の光束がインテグレータロッド内に反射される回数は近づき、さらに、２次レーザー光束がインテグレータロッドを通過した後の均一程度を向上させる。
【図面の簡単な説明】
【００２０】
【図１】従来技術において角棒を利用して光を均一化するレーザー光源である。
【図２】従来技術における長方形角棒の動作原理の模式図である。
【図３Ａ】本発明のレーザー光源の１つの実施形態の構成を示す模式図である。
【図３Ｂ】レーザー素子からの発光の模式図である。
【図３Ｃ】レーザー素子からの発光がコリメータレンズを経由した後の発光の模式図である。
【図３Ｄ】本発明のレーザー光源におけるマイクロレンズアレイの構成を示す模式図である。
【図４】レーザー素子がコリメータレンズの焦点に位置する構成および当該焦点とずれる構成を示す模式図である。
【図５】本発明のレーザー光源のもう１つの実施形態の構成を示す模式図である。
【図６】図５に示すレーザー光源におけるインテグレータロッドの斜視図である。
【発明を実施するための形態】
【００２１】
図１に示されているレーザー光源を均一な面分布にすることができないという課題に対して、発明者は、鋭意に研究を行った。発明者は、以下のことを発見した。普通の光束が角棒において均一化を実現できる理由は、当該光束の角度分布が連続であることがそのカギである。このように、角棒内に複数回反射された後、その面分布は、連続的且つ反射の回数が多いほど、面分布の均一性がよいということが図れる。
【００２２】
しかしながら、集光レンズ１３によって集光されたレーザー光束は、普通の光束と異なり、複数のレーザー光束を組み合わせてなるものであり、各レーザー光束は、いずれも１つのレーザーダイオードおよび対応するコリメータレンズからのものであるため、統合の光束の角度分布は、連続的ではなく、個々に独立したものである。これら独立したレーザービームの、角棒１４における伝送過程を図２に示す。レーザービームＬ１は、入射角αで入射し、出射角αで出射するものであり、レーザービームＬ２は、入射角βで入射し、出射角βで出射するものである。両方とも各々の角度が小さいため、角棒において複数回反射しても、１本のかなり細い光線を維持している。そのため、角棒の出口で混合の効果、即ち均一な光分布を実現できない。
【００２３】
以下、図面および実施形態を参照しながら本発明の実施形態について詳しく説明する。
【００２４】
実施形態１
図３Ａは、本発明のレーザー光源の１つの実施形態の構成を示す模式図である。当該レーザー光源３００は、レーザー光源アレイを含み、このレーザー光源アレイは、コリメートされた１次レーザー光束アレイ３８１を発生させるものである。なお、レーザー光源アレイは、レーザー素子アレイおよびコリメータレンズアレイを含み、レーザー素子アレイは、レーザー素子３１ａ、３１ｂ、３１ｃを含み、コリメータレンズアレイは、３２ａ、３２ｂ、３２ｃを含み、そして、コリメータレンズ毎に１つのレーザー素子が対応し、レーザー素子の発光位置は、対応するコリメータレンズの焦点に位置しているため、その発光は、コリメータレンズを経由した後、コリメートされるようになる。
【００２５】
本実施形態において、レーザー素子は、レーザーダイオードであるが、実際上、レーザー素子は、その他のレーザーを発射する素子であってもよく、本発明に限定されるものではない。当然ながら、レーザー素子アレイおよびコリメータレンズアレイにおける素子の数も単に例であり、限定されるものではない。
【００２６】
図３Ｂに示されるように、図３Ｂは、レーザー素子からの発光の模式図である。レーザー素子３１の発光面は、長方形であり、当該長方形の長辺３１１を通過した断面における光の発散角はαであり、当該長方形の短辺３１２を通過した断面における光の発散角はβであり、αはβより小さい。一般的に、βは、αの５倍より大きい。即ち、レーザー光素子３１の出射光の光分布の長軸３１３は、長方形の短辺３１２に平行し、出射光の光分布の短軸３１４は、長方形の長辺３１１に平行している。
【００２７】
レーザー素子３１からの発光がコリメータレンズを経由して得られた１次レーザー光束は、厳密的な平行光ではない。レーザー素子からの発光に対して、コリメートされたレーザー光束の発散角は小さくなるが、コリメートされたレーザー光束にも光分布の長軸方向および短軸方向が存在している。図３Ｃに示されるように、図３Ｃは、レーザー素子３１からの発光がコリメータレンズ３２を経由した後の発光の模式図である。注意すべきなのは、１次レーザー光束の光分布の長軸３１５は、レーザー素子３１の発光面の長辺３１１に平行し、１次レーザー光束の光分布の短軸３１６は、レーザー素子３１の発光面の短辺３１２に平行し、且つ長軸３１５の方向における発散角と短軸３１６の方向における発散角との比率が大きく、一般的に５より大きい。説明を明確にするために、以下の「長軸方向」および「短軸方向」はすべて光束の光分布上の長軸方向および短軸方向を指している。
【００２８】
このように、各レーザー素子からの発光がコリメータレンズを経由してコリメートされて得られた１次レーザー光束アレイ３８１において，各１次レーザー光束の光軸は、それぞれ互いに平行しているが、各レーザー光束は、一定の発散角を有し、且つ光分布の長軸方向の発散角と短軸方向の発散角との比率は、依然として大きい。
【００２９】
レーザー光源３００は、レーザー光源アレイの後端に位置していると共に順次に並べている集光光学素子３３とコリメート光学素子３４とをさらに含み、１次レーザー光束アレイ３８１は、集光光学素子３３とコリメート光学素子３４とを順次に通過した後、コリメートされた２次レーザー光束アレイ３８２となっている。
【００３０】
本実施形態において、集光光学素子は、凸レンズ３３であり、コリメータ光学素子は、凹レンズ３４であり、凸レンズ３３および凹レンズ３４の焦点は、重なっている。なお、凹レンズ３４の焦点は、虚焦点であり、その虚焦点は、凹レンズ３４の光路の後端に位置している。このように、１次レーザー光束アレイ３８１は、先ず凸レンズ３３によって集光されて焦点に向けて集束され、凹レンズ３４に入射するとき、その光束の断面積は、凸レンズ３３に入射するときの光束の断面積より小さい。このとき当該レーザー光束は、凹レンズの焦点にも向けて集束されるため、凹レンズ３４を通過した後再び平行光として出射し、即ちコリメートされた２次レーザー光束アレイ３８２を形成するようになる。ただし、レーザー光束の断面積が圧縮され、即ち２次レーザー光束アレイ３８２における各２次レーザー光束のピッチは、１次レーザー光束アレイにおける各１次レーザー光束のピッチより小さい。
【００３１】
光学エタンデュ量の保存則に基づき、光束の断面積は圧縮され、その発散角は必ず増大する。即ち、
【００３２】
【数１】
2016526258.tif 000003
【００３３】
ここで、Ｓ１、θ１は、それぞれ、１次レーザー光束アレイの横断面積および発散半角であり、Ｓ２、θ２は、それぞれ、２次レーザー光束アレイの横断面積および発散半角である。ただし、Ｓ２＜Ｓ１。そうすると、θ２は、必ずθ１より大きい。注意すべきなのは、式（１）における発散半角は、各レーザー光束の間の夾角ではなく、各レーザー光束そのものの発散角の半分である。
【００３４】
実際の応用において、凸レンズ３３および凹レンズ３４の位置および曲率を制御することにより、２次レーザー光束アレイ３８２による１次レーザー光束アレイ３８１の断面積の圧縮比（近似的に、凸レンズ３３と凹レンズ３４との焦点距離の比は、光束の圧縮比である）を制御することができ、さらに、２次レーザー光束アレイにおける各レーザー光束の発散半角が１次レーザー光束アレイにおける各レーザー光束の発散半角より増大した程度を制御することができる。容易に理解できるのは、２次レーザー光束アレイにおける各レーザー光束の光分布上の長軸方向の発散角と短軸方向の発散角の増大程度が近似しているため、この２つの方向の発散角の比率は、依然として大きい。
【００３５】
レーザー光源３００は、２次レーザー光束アレイ３８２を受容して整形を行うための、コリメータ光学素子３４の後端に位置している角度分布制御素子３５をさらに含み、整形後の２次レーザー光アレイ３８２における各２次レーザー光束の、光分布の短軸方向における発散角と長軸方向における発散角との比率が０．７以上となるようにする。
【００３６】
具体的に、本実施形態において、角度分布制御素子３５は、柱面レンズである。柱面レンズによって１次元のみで１束の光束の発散角を変更することができるので、柱面レンズを利用して長軸方向における発散角を変更せずにレーザー光束の短軸方向における発散角を大きくし、柱面レンズの柱面の曲率に対する設計により、各レーザー光束の短軸方向における発散角と長軸方向における発散角との比率が０．７以上になるようにすることができる。以上の目的を実現するために、柱面レンズに入射する２次レーザー光束アレイにおける各２次レーザー光束の光分布の長軸方向は、いずれもその柱面レンズの母線に平行している。
【００３７】
レーザー光源３００は、角度分布制御素子３５によって整形された２次レーザー光束アレイ３８２を受容して均一化するための、角度分布制御素子３５の後端に位置しているインテグレータロッド３６をさらに含む。
【００３８】
従来のインテグレータロッド（背景技術に記載の角棒およびテーパ棒はいずれもインテグレータロッドの１つである）に対する理解では、入射光は、１つの大きな角度範囲で入射しなければならず、そうすることで良好な光均一化効果を得られ、そうすることで光線がインテグレータロッドの内部に複数回反射され均一化されるからである。しかし、本発明に対する研究に基づきインテグレータロッドについての認識が深刻になり、即ち、レーザーの分野に応用しようとすれば、各束のレーザーを大きな角度範囲に集光させるだけで効かないと思われ、各レーザーの発散半角を増大しなければならない。各レーザーの発散半角を増大すれば、たとえ各束レーザーの間に平行な状態に近いとしても、インテグレータロッドを経由して良好な均一化効果を得られる。
【００３９】
しかし、各束のレーザーの発散半角を増加させる過程において、各束のレーザーが光分布の長軸方向および短軸方向における発散角の増大の程度はほぼ同じなので、インテグレータロッドに入射するとき、各束のレーザーの発散半角は増大するが、各束のレーザーの短軸方向における発散角は、長軸方向における発散角より随分小さい。従って、この２つの方向において光束がインテグレータロッド内に反射される回数の差異も大きいので、各２次レーザー光束がインテグレータロッドの光出口が所在する面に形成した光スポットは、長軸方向において均一に混光され、短軸方向において光均一化効果がよくない。従って、本実施形態において、コリメータ光学素子とインテグレータロッドとの間に角度分布制御素子を設置することにより、インテグレータロッドに入射する各２次レーザー光束の、光分布の短軸方向と長軸方向における発散角の比率は、０．７以上であるようになり、さらに、各２次レーザー光束の短軸方向における光均一化効果を向上させる。
【００４０】
本実施形態において、角度分布制御素子は、柱面レンズアレイであってもよい。柱面レンズアレイを設置することによって、各柱面レンズが少なくとも１列の２次レーザー光束に合わせて、各１列の２次レーザー光束の進行方向は、いずれもこの柱面レンズの母線に平行している。なお、上記少なくとも１列の２次レーザー光束のうち、各２次レーザー光束の光分布の長軸方向は、いずれも互いに平行し、且つこの柱面レンズの母線に平行している。１つの柱面レンズを利用する場合と比べ、柱面レンズアレイを利用することで、各２次レーザー光束がその光分布の短軸方向における発散角の増大は大きく、さらに長軸方向における発散角に近づいている。但し、１つの柱面レンズのみを利用すると、実際の加工に便利である。
【００４１】
本実施形態において、レーザー素子そのものからのレーザービームのコリメート程度がよい場合、コリメータレンズを省略してもよい。但し、注意すべきなのは、レーザー光源アレイにコリメータレンズアレイを省略した後、１次レーザー光束アレイにおいて各１次レーザー光束の長軸方向と短軸方向とが９０度回転する。従って、相応的に、柱面レンズの設置位置も以上の実施形態に記載の位置に対し、レーザー光束アレイの光軸に直交している平面内に９０度回転する必要がある。
【００４２】
当然ながら、本実施形態において、角度分布制御素子３５は、柱面レンズアレイではなく、光拡散シートであってもよい。且つその光拡散シートによって、２次レーザー光束の短軸方向における散乱程度は、当該２次レーザー光束の長軸方向における散乱程度より大きく、または、当該２次レーザー光束の短軸方向のみに対して散乱させて当該レーザー光束の光分布の短軸方向における発散角と長軸方向における発散角との比率を０．７以上にする。
【００４３】
例えば、その光拡散シートの表面の散乱構成は、相互に緊密に配列している複数の光透過可能なマイクロ構成であり、なお、各マイクロ構成は、柱面構成であり、各マイクロ構成の母線は、相互に平行し、且つ入射される２次レーザー光束の光分布の長軸方向に平行している。又は、柱状若しくは柱状の一部を成している光透過散乱構成を１つの透明ベース内に組み込んでもよい。なお、当該散乱構成および当該ベースには屈折率の差が存在し、且つ各散乱構成の母線は、相互に平行又は概ね平行していると共に、入射される２次レーザー光束の光分布の長軸方向に平行している。又は、当該光拡散シートは、ＤＯＥ（Ｄｉｆｆｒａｃｔｉｏｎ  Ｏｐｔｉｃａｌ  Ｅｌｅｍｅｎｔ、回折光学素子）であってもよい。ＤＯＥ上の各ドットの位相に対して設計することにより、当該ＤＯＥによって入射される２次レーザー光束の光分布の短軸方向における発散角のみを増大させ、又は入射される２次レーザー光束の光分布の短軸方向における発散角の増大を長軸方向における発散角の増大より大きくする。
【００４４】
本実施形態において、角度分布制御素子３５は、マイクロレンズアレイであってもよく、そのマイクロレンズアレイにおいて複数の長方形レンズを相互に接合してなる。図３Ｄに示されるように、図３Ｄは、本発明のレーザー光源におけるマイクロレンズアレイの構成を示す模式図である。各マイクロレンズ３５１は、長方形であり、両方の辺の長さは、それぞれ、Ｄ１およびＤ２である。ただし、Ｄ１＜Ｄ２。一束の平行光束がマイクロレンズアレイに入射した後、長方形の両方の辺に沿う方向における発散角が異なる一束の光束が形成され、長辺方向に沿う発散角と短辺方向に沿う発散角との比率は、約Ｄ２：Ｄ１である。従って、マイクロレンズアレイに入射される２次レーザー光束アレイにおける各２次レーザー光束の光分布の短軸方向は、各マイクロレンズの長辺方向に平行するようになり、各２次レーザー光束の光分布の短軸方向における発散角の増大程度は、長軸方向における発散角の増大程度より大きくなる。そして、各マイクロレンズの両方の辺長の比及びマイクロレンズの表面の曲率に対して設計することにより、当該マイクロレンズアレイから出射する２次レーザー光束アレイの光分布の短軸方向における発散角と長軸方向における発散角との比率を０．７以上にする。
【００４５】
本実施形態において、角度分布制御素子とインテグレータロッドとは、一体成形されてもよい。例えば、インテグレータロッドについて、中実なものを利用して、光入口で柱面構成を形成し、または光入口で光拡散シートと同じような散乱構成を設置してもよい。
【００４６】
以上の実施形態において、角度分布制御素子３５は、いずれもコリメータ光学素子とインテグレータロッドとの間に設置されている。実際の応用には、角度分布制御素子３５をレーザー光源アレイとインテグレータロッドとの間における光路の任意の位置に設置してもよい。レーザー光源アレイから出射されるレーザー光束アレイのうち、各レーザー光束の短軸方向における発散角と長軸方向における発散角との比率を０．７以上にすれば、本発明の目的を達成できる。
【００４７】
本実施形態において、コリメータ光学素子は、凹レンズである。実際の応用には、コリメータ光学素子は、凸レンズを使用してもよい。集光光学素子３３と当該凸レンズの焦点とが重なれば、その効果は、凹レンズを使用する場合と同様であり、ただ光伝送方向の長さが増えただけで、システム全体を少し大きくする。さらに一般的に、集光光学素子およびコリメータ光学素子は、本実施形態において使用される凸レンズまたは凹レンズに限定されるものではなく、例えば集光光学素子は、１つまたは複数の反射鏡であってもよく、複数束のレーザー光束を集光させ、コリメータ光学素子は、フレネルレンズであってもよい。すなわち、同様な機能を実現できれば、すべてが本特許の保護範囲に含まれる。
【００４８】
実施形態２
実施形態１において、レーザー光源アレイとインテグレータロッドとの間に角度分布制御素子を設置することによって各レーザー光束の短軸方向における発散角と長軸方向における発散角との比率を大きくすることを実現した。しかしながら、レーザー光源アレイとインテグレータロッドとの間に角度分布制御素子を設置しなくてもよく、レーザー光源アレイにおけるコリメータレンズアレイによってこの目的を達成する。本実施形態において、当該コリメータレンズアレイは、角度分布制御素子に相当する。
【００４９】
説明を明確にするために、以下に記載の「アスペクト比」は、楕円の長軸と短軸との比を指している。図４に示されるように、レーザー素子４１がちょうどコリメータレンズ４２の焦点に位置している場合、このとき、コリメータレンズ４２は、その光軸の位置Ａに位置しており、コリメータレンズ４２から出射するレーザー光束が集光レンズ（図示せず）によって目標面に集光された光スポットは、細い長形の楕円ａである。レーザー素子４１がコリメータレンズ４２の光軸においてその焦点とずれた位置に設置されているとき、例えばコリメータレンズ４２をレーザー素子４１に近い位置Ｂに設置したとき、コリメータレンズ４２から出射するレーザーが集光レンズによって目標面に集光された光スポットは、楕円ｂであり、ｂのアスペクト比は、ａのアスペクト比より小さい。コリメータレンズ４２をレーザー素子４１により近い位置Ａに設置すれば、コリメータレンズ４２から出射するレーザーが集光レンズによって目標面に集光された光スポットは、楕円ｃであり、ｃのアスペクト比は、ｂのアスペクト比より小さい。
【００５０】
実験結果の統計および論理的な分析を行った上、発明者は、以下の原因を発見した。デフォーカスのとき、レーザー素子からの発光の光分布の長軸方向にもっとも外縁にある光線とコリメータレンズの光軸との距離の増加は、短軸方向にもっとも外縁にある光線と光軸との距離の増加より速く、且つ何倍も速い。図３Ｂから分かるように、レーザー素子からの発光の光分布の長軸方向は、当該レーザー素子の発光面の短辺に平行し、光分布の短軸方向は、当該レーザー素子の発光面の長辺に平行している。従って、コリメータレンズから出射した光束において、当該レーザー素子の発光面の短辺に平行している方向における発散角の増大の速度は、当該レーザー素子の発光面の長辺に平行している方向における発散角の増大の速度よりかなり速い。
【００５１】
図３Ｃから分かるように、コリメータレンズから出射した光束において、当該レーザー素子の発光面の短辺に平行している方向は、その光束の光分布の短軸方向であり、当該レーザー素子の発光面の長辺に平行している方向は、その光束の光分布の長軸方向である。従って、即ちコリメータレンズから出射した光束において光分布の短軸方向における発散角の増大の速度は、長軸方向における発散角の増大の速度より速く、且つ何倍も速い。このように、目標面上の楕円光スポットの短軸は、長軸より速く増大するため、楕円光スポットのアスペクト比は変わる。
【００５２】
従って、実施形態１と異なるのは、本実施形態において、各レーザー素子は、対応するコリメータレンズの光軸に位置し、当該コリメータレンズの焦点とずれており（以下はデフォーカスと称する）、焦点とずれた程度は、そのコリメータレンズから出射した１次レーザー光束の短軸方向における発散角とその長軸方向における発散角との比率を０．７以上にする。
【００５３】
実施形態１において光拡散シート若しくは柱面レンズを利用すると、いずれも一定の光損失、特に光拡散シートの場合に一定の光損失が発生する。しかし、本実施形態において、デフォーカスを利用すると、光損失を小さくし、効率をさらに向上させることができる。
【００５４】
好ましくは、コリメータレンズの位置を理想的なコリメート位置（即ちレーザー素子をコリメータレンズの焦点に位置させる）からレーザー素子の方向へ移動させ、つまり、レーザー素子と対応するコリメータレンズとの距離を当該コリメータレンズの焦点距離より短くし、このときのコリメータレンズによる集光の角度はより大きく、光利用率は高い。コリメータレンズから出射した光束の発散角が大きくなりすぎることを避けるために、デフォーカスの距離が大きすぎることは好ましくない。好ましくは、デフォーカス後のコリメータレンズの位置と理想的なコリメート位置との間の距離は、０．０５ｍｍ以下である。
【００５５】
実際の応用には、実施形態１および実施形態２に記載の方法を組み合わせてもよく、即ちレーザー光源アレイにおいて各レーザー素子をその対応するコリメータレンズとデフォーカスさせると共に、レーザー光源アレイとインテグレータロッドとの間に角度分布制御素子を設置することにより、各レーザー光束がインテグレータロッドに入射するとき短軸方向における発散角と長軸方向における発散角との比率を０．７以上にする。
【００５６】
実施形態３
以上の実施形態において、何れもインテグレータロッドの前の光路において各レーザー光束に対して整形を行うことにより、本発明の目的を達成する。しかしながら、インテグレータロッドの設置によって、短軸方向における発散角と長軸方向における発散角との比率が小さいレーザー光束がインテグレータロッドを通過した後でも、上記２つの方向においていずれも均一な光を得られるようにする。以下、具体的に説明する。
【００５７】
図５に示されるように、図５は本発明のレーザー光源のもう１つの実施形態の構成を示す模式図である。レーザー光源５００は、レーザー光源アレイと、集光光学素子５３と、コリメータ光学素子５４と、インテグレータロッド５６とを含む。
【００５８】
以上の実施形態と異なるのは、以下のとおりである。
【００５９】
本実施形態において、レーザー光源アレイは、１対１で対応するレーザー素子アレイ５１およびコリメータレンズアレイ５２を含み、コリメートされる１次レーザー光束アレイを発生させるためのものであり、そのうち、各レーザー素子は、その対応するコリメータレンズとデフォーカスしない。当然ながら、レーザー素子自身から発射したレーザービームのコリメート程度が良好な場合には、コリメータレンズアレイを利用しなくてもよい。
【００６０】
１次レーザー光束アレイは、集光光学素子５３により順次に集光され、コリメータ光学素子５４によりコリメートされた後に、２次レーザー光束アレイが形成され、インテグレータロッド５６まで直接的に入射する。
【００６１】
図６に示されるように、図６は、図５に示されるレーザー光源におけるインテグレータロッドの斜視図である。インテグレータロッド５６の光入口５６１の面積は、光出口５６２の面積より大きい。本実施形態において、光入口５６１および光出口５６２は、いずれも矩形を成している。好ましくは、後続の光路上の光変調装置における光バルブの形状に合わせるように、光出口５６２の長辺と短辺との比率は、１６／９または４／３である。
【００６２】
本実施形態において、光入口５６１の長辺５６１ａは、第１の辺であり、短辺５６１ｂは、第２の辺である。光出口５６２の長辺５６２ａは、第１の辺であり、短辺５６２ｂは、第２の辺である。光入口の長辺５６１ａは、光出口の長辺５６２ａに平行し、且つ光入口の第１の辺５６１ａの長さと光出口の第１の辺５６２ａの長さとの比率は、光入口の第２の辺５６１ｂの長さと光出口の第２の辺５６２ｂの長さとの比率より小さい。
【００６３】
２次レーザー光束アレイがインテグレータロッド５６の光入口５６１に入射するとき、各２次レーザー光束の長軸方向は、いずれも光入口５６１の第１の辺５６１ａに平行しており、このように、各２次レーザー光束の短軸方向は、いずれも光入口５６１の第２の辺５６１ｂに平行または概ね平行している。インテグレータロッドの光入口の第１の辺５６１ａの長さと光出口の第１の辺５６２ａの長さとの比率は、光入口の第２の辺５６１ｂの長さと光出口の第２の辺５６２ｂの長さとの比率より小さい。従って、当該レーザー光束の短軸方向における光束がインテグレータロッド内に反射される回数は、長軸方向における光束より多く、２次レーザー光束アレイが光均一棒を通過した後の短軸方向における均一性を向上させる。
【００６４】
本実施形態において、２次レーザー光束の光分布の長軸方向における発散角を大きくすることを避けるために、インテグレータロッドの光入口の第１の辺５６１ａの長さと光出口の第１の辺５６２ａの長さとの比率は、１であることが好ましい。
【００６５】
好ましくは、より多くの２次レーザー光束をカップリングできるようにするため、インテグレータロッドの光入口５６１は、方形を成している。
【００６６】
本実施形態において、実施形態１に記載の角度分布制御素子の利用および／または実施形態２に記載のデフォーカスを組み合わせることもでき、インテグレータロッドに入射する２次レーザー光束アレイにおける各２次レーザー光束の光分布の短軸方向における発散角と長軸方向における発散角との比率を大きくすることにより、インテグレータロッドによる光均一化後のレーザー光束の均一程度をさらに向上させる。容易に理解できるのは、本実施形態に記載のインテグレータロッドを利用すると同時に、角度分布制御素子および／またはレーザー素子をコリメータレンズとデフォーカスさせる方法を利用して、レーザー光束の光分布の短軸方向における発散角と長軸方向における発散角との比率を大きくするとき、この比率は、実施形態１および実施形態２に記載されるように厳しくはなくてもよい、この比率は、０．７より小さくてもよい。角度分布制御素子が設置されない場合および／またはデフォーカスを利用しない場合、インテグレータロッドに入射する２次レーザー光束アレイにおける各２次レーザー光束の光分布の短軸方向における発散角と長軸方向における発散角との比率より大きければよい。
【００６７】
本明細書における各実施形態について、累進の形式で説明をした。各実施形態については、他の実施形態との違いを中心に説明したが、各実施形態における同様または類似の部分について、互いに参照すればよい。
【００６８】
本発明の実施形態によれば、波長変換光源を提供する。当該波長変換光源は、レーザー光源を有し、当該レーザー光源は、上記各実施形態に記載の構成及び機能を有することができる。当該波長変換光源は、レーザー光源からの光を受容して被励起光を発射するための波長変換装置をさらに備える。
【００６９】
本発明の実施形態によれば、さらに合成光源を提供する。当該合成光源は、レーザー光源を備え、当該レーザー光源は、上記各実施形態における構成及び機能を有することができる。当該合成光源は、波長変換光源をさらに備える。当該波長変換光源は、励起光源および波長変換装置を備え、その波長変換装置は、その励起光源からの励起光を吸収して被励起光を発射するためのものである。当該合成光源は、光合成装置をさらに備える。当該レーザー光源から発射される光と当該波長変換光源から発射される被励起光は、それぞれ異なる方向から光合成装置に入射して、光合成装置によって一束の光に光合成され、出射する。
【００７０】
本発明の実施形態によれば、投影システムをさらに提供する。当該投影システムは、上記合成光源を備え、空間光変調装置をさらに備え、当該空間光変調装置は、当該合成光源からの光束を受容すると共に変調を行うためのものである。当該投影システムにおいて、各種の投影技術を採用することができ、例えば液晶ディスプレイ（ＬＣＤ，Ｌｉｑｕｉｄ  Ｃｒｙｓｔａｌ  Ｄｉｓｐｌａｙ）投影技術、デジタルライトプロセッサ（ＤＬＰ，Ｄｉｇｉｔａｌ  Ｌｉｇｈｔ  Ｐｒｏｃｅｓｓｏｒ）投影技術が挙げられる。なお、上記合成光源は、照明システムにおいて応用することもでき、例えば、舞台灯照明が挙げられる。
【００７１】
上述したのは、本発明の実施形態であり、本発明の特許範囲を限定するものではなく、本発明の明細書及び図面の内容を用いて実現した等価構成又は等価変換フロー、又は他の関連する技術分野における直接又は間接運用は、全て同様に本発明の特許保護範囲内に含まれる。
【図１】
2016526258.tif 000004
【図２】
2016526258.tif 000005
【図３Ａ】
2016526258.tif 000006
【図３Ｂ】
2016526258.tif 000007
【図３Ｃ】
2016526258.tif 000008
【図３Ｄ】
2016526258.tif 000009
【図４】
2016526258.tif 000010
【図５】
2016526258.tif 000011
【図６】
2016526258.tif 000012
【国際調査報告】
2016526258.tif 000013
2016526258.tif 000014
2016526258.tif 000015
2016526258.tif 000016